(57)【要約】      （修正有）【課題】ＩＰ網を介して相手装置（ファクシミリ装置，ＶｏＩＰ内蔵ファクシミリ装置）とファクシミリ通信を行なうファクシミリ通信機能（ＦＡＸ処理部）を具備したＩＰ網通信装置としてのＩＰ網用ファクシミリ装置に設けられ、ファクシミリデータと音声データの変換を行うモデムを提供する。【解決手段】ＶｏＩＰ処理部１３とスピーカー出力データ作成部１４を有し、ＶｏＩＰ処理部１３においては、ＩＰ網用ファクシミリ装置５に設けられた送受信部６において受信ＩＰパケットから変換された音声フレームを入力し、復号化して音声データに変換すると共に、音声データを符号化して音声フレームに変換し、送受信部６に出力し、スピーカー出力データ作成部１４においては、ＶｏＩＰ処理部１３により変換されたデータを、ＰＷＭ等により、スピーカー１２を介して出力可能なデータ（ＰＷＭデータ）に変換する。【選択図】図１
2012065023.tif 000002
【特許請求の範囲】
【請求項１】
ＩＰ網を介して相手装置とファクシミリ通信を行なうファクシミリ通信機能を具備したＩＰ網通信装置に設けられ、ファクシミリデータと音声データの変換を行うモデムであって、
ＩＰ網通信装置に設けられた送受信手段において受信ＩＰパケットから変換された音声フレームを入力し、復号化して音声データに変換すると共に、
音声データを符号化して音声フレームに変換し、上記送受信手段に出力するＶｏＩＰ処理手段と、
該ＶｏＩＰ処理手段により変換されたデータを、スピーカーを介して出力可能なデータ（音声モニタ出力データ）に変換するデータ作成手段と
を有する
ことを特徴とするＩＰ網通信装置用モデム。
【請求項２】
請求項１に記載のＩＰ網通信装置用モデムであって、
上記データ作成手段は、
上記音声モニタ出力データとして、ＰＷＭデータに変換する
ことを特徴とするＩＰ網通信装置用モデム。
【請求項３】
請求項１もしくは請求項２のいずれかに記載のＩＰ網通信装置用モデムであって、
上記ＶｏＩＰ処理手段は、
送信８ＫＨｚサンプリングした８ｂｉｔのデジタル信号を送信μ/Ａｌａｗデータに変換する手段と、
受信８ＫＨｚサンプリングした８ｂｉｔのデジタル信号を受信μ/Ａｌａｗデータに変換する手段と
を有し、
上記データ作成手段は、
上記送信μ/Ａｌａｗデータを復号化する第１の復号回路と、
上記受信μ/Ａｌａｗデータを復号化する第２の復号回路と、
上記第１の復号回路で復号化された送信データに送信ゲイン係数を乗算する第１の乗算回路と、
上記第２の復号回路で復号化された受信データに受信ゲイン係数を乗算する第２の乗算回路と、
上記第１の乗算回路で送信ゲイン係数が乗算された送信データと上記第２の乗算回路で受信ゲイン係数が乗算された受信信データとを加算する加算回路と、
該加算回路で加算された送受信データを、上記音声モニタ出力データに変換するデータ変換手段と
を有することを特徴とするＩＰ網通信装置用モデム。
【請求項４】
ＩＰ網を介して相手装置とファクシミリ通信を行なうファクシミリ通信機能を具備したＩＰ網通信装置であって、
請求項１から請求項３のいずれかに記載のＩＰ網通信装置用モデムを具備し、
該ＩＰ網通信装置用モデムの上記データ作成手段で作成された上記音声モニタ出力データを用いて、通信状況をモニタする
ことを特徴とするＩＰ網通信装置。
【請求項５】
請求項４に記載のＩＰ網通信装置であって、
上記音声モニタ出力データを、スピーカーを介して出力する回路を具備することを特徴とするＩＰ網通信装置。
【請求項６】
ＩＰ網を介して相手装置とファクシミリ通信を行なうＩＰ網ファクシミリ通信装置であって、
請求項１から請求項３のいずれかに記載のＩＰ網通信装置用モデムを具備し、
該ＩＰ網通信装置用モデムの上記データ作成手段で作成された上記音声モニタ出力データを用いて、通信状況をモニタする
ことを特徴とするＩＰ網ファクシミリ通信装置。
【請求項７】
請求項５に記載のＩＰ網ファクシミリ通信装置であって、
上記音声モニタ出力データを、スピーカーを介して出力する回路を具備することを特徴とするＩＰ網ファクシミリ通信装置。
【発明の詳細な説明】
【技術分野】
【０００１】
本発明は、ＩＰ（Ｉｎｔｅｒｎｅｔ Ｐｒｏｔｏｃｏｌ）網を介して相手装置とファクシミリ通信を行なう通信装置のモデム技術に係り、特に、通信状況等を音声により効率的にモニタするのに好適な技術に関するものである。
【背景技術】
【０００２】
近年、ＩＰ網（ＩＰネットワーク）上で音声通話を実現するＶｏＩＰ（Ｖｏｉｃｅ  ｏｖｅｒ  ＩＰ）技術が急速に発達しており、ファクシミリ装置に関しても、例えば、特許文献１に記載のように、ファクシミリ信号を音声信号とみなしてＩＰパケットの送受信を行うことにより、ＩＰネットワーク上でのファクシミリ通信が可能となっている。 
【０００３】
この技術では、情報の送受信を行うための送受信手段、相手方装置に対して通信コネクションを設定するＩＰネットワークインタフェース手段、受信したＩＰパケットを復号化するための復号化手段、および、送信する情報を符号化してパケット化する符号化手段等を備え、ＩＰネットワークを介して相手方装置とのファクシミリ通信を可能としている。
【０００４】
従来のＰＳＴＮ（公衆交換電話網）を介してファクシミリ通信を行うファクシミリ装置においては、回線の状態をモニタするためのモニタスピーカーを有し、モニタ音を出力することが一般的である。 
【０００５】
このモニタ音の利用方法としては、ファクシミリ受信があったことを確認する場合、あるいは、操作上のキー入力音の確認、または、電話端末として使用した場合の相手側からの応答確認等に使用されている。
【０００６】
図３および図４を用いて、特許文献２において記載された、従来のファクシミリ装置、および、そのファクシミリ装置におけるモニタスピーカーを用いた回線の状態をモニタする技術について説明する。
【０００７】
図３に示すファクシミリ装置は、従来の電話回線を用いてファクシミリ通信を行うものであり、その中核となる電気回路ブロックは、ＦＣＵ部（ファクシミリ・コントロール・ユニット）５１とＮＣＵ部（ネットワーク・コントロールユニット）５２に分かれている。
【０００８】
ＦＣＵ部５１には、機器（ファクシミリ装置）の制御を行うコントローラ部５１ａとファクシミリ信号変複調を行うモデム部５１ｂがあり、このモデム部５１ｂは、デジタル信号処理を行うモデムＤＳＰ部５１ｃと、ＡＤ／ＤＡ変換を行うＣＯＤＥＣ（コーデック）やレベルなどを調整するオペアンプが含まれるＡＦＥ部５１ｄとから構成される。
【０００９】
また、ＮＣＵ部５２は、電話回線とのインタフェースを行う電気回路ブロックであり、電話回線側（１次側）とＦＣＵ部５１側（２次側）との絶縁を行う絶縁トランス（図中「トランス」と記載）５２ａと、電話回線の直流閉結規格を実現する直流回路５２ｂ、電話回線のリング信号を検出するリング検出回路５２ｃなどから構成される。
【００１０】
通常、ファクシミリ通信はＮＣＵ部５２を介してＰＳＴＮ（Ｐｕｂｌｉｃ  Ｓｗｉｔｃｈｅｄ  Ｔｅｌｅｐｈｏｎｅ  Ｎｅｔｗｏｒｋｓ  、公衆電話交換回線網）回線を通して行われる。しかし、ファクシミリ装置のアプリケーションとして、いわゆるスーパーＧ３などのＰＳＴＮ回線で接続されるファクシミリ通信が、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線を通して行われる場合がある。このような場合の、ＩＳＤＮ回線との接続構成例を図４に示す。
【００１１】
図４においては、従来のファクシミリ装置のＩＳＤＮ回線との接続構成例を示しており、モデムＤＳＰ部６１に入出力されるファクシミリ信号は、ＣＯＤＥＣ部６２でＡＤ／ＤＡ（アナログ→デジタル／デジタル→アナログ）変換される。
【００１２】
通常のＰＳＴＮ回線を通す場合は、ＣＯＤＥＣ部６２の入出力は、図３で示したようにして、ＮＣＵ部５２に接続され、絶縁トランス５２ａを介してＰＳＴＮ回線に接続される。
【００１３】
そして、ＣＯＤＥＣ部６２のアナログの入力信号と出力信号は、加算アンプ６３でミキシングされ、スピーカー６４からミキシングされた信号を出力することで、ＰＳＴＮ回線上のファクシミリ信号をモニタすることができる。
【００１４】
また、ＩＳＤＮ回線を通してファクシミリ通信する場合は、スイッチ（図中「ＳＷ」と記載）６５でＣＯＤＥＣ部６２の入出力をＮＣＵ部（５２）からＩＳＤＮ通信ブロック６６内のＣＯＤＥＣ部６７の入出力に接続を切り替える。
【００１５】
ＩＳＤＮ通信ブロック６６内のＣＯＤＥＣ部６７は、ＣＯＤＥＣ部６２のファクシミリ通信信号を、ＩＴＵ−Ｔ勧告  Ｇ．７１１の音声コーディック技術（ＰＣＭ（Ｐｕｌｓｅ  Ｃｏｄｅ  Ｍｏｄｕｌａｔｉｏｎ，パルス符号変調信号））を用いて、ＩＳＤＮ回線用の８ビット（μｌａｗ／Ａｌａｗ変換付き）、８ｋＨｚサンプリングのデジタル信号（ＰＣＭデータ）に変換して、ＩＳＤＮインタフェース部６８を介してＩＳＤＮ回線に送信する。また、逆の処理により、ＩＳＤＮ回線から受信したファクシミリデータ（ＰＣＭデータ）は、ＣＯＤＥＣ部６７において、ファクシミリ通信信号（アナログ）に逆変換され、ＣＯＤＥＣ部６２を介してデジタル変換されてモデムＤＳＰ部６１に入力される。
【００１６】
このように、ＩＳＤＮ回線を通してファクシミリ通信する場合にも、ＰＳＴＮ回線接続時と同様に、ＣＯＤＥＣ部６２のファクシミリ通信信号（アナログ信号）を用いて、スピーカー６４からＩＳＤＮ回線上のファクシミリ信号をモニタすることができる。
【００１７】
しかし、上述のＶｏＩＰによるＩＰネットワークを介したファクシミリ通信では、デジタル信号のみを用いて、ＬＡＮ（Ｌｏｃａｌ  Ａｒｅａ  Ｎｅｔｗｏｒｋ）等との接続で通信を行うので、ＮＣＵ（Ｎｅｔｗｏｒｋ  Ｃｏｎｔｒｏｌ  Ｕｎｉｔ）が不要であり、また、ファクシミリのＰＣＭデータをアナログに変換する回路も不要となる。
【００１８】
回線の状態を、モニタスピーカーを介してモニタするためには、ＰＣＭデータから変換したアナログ信号を用いる必要があり、そのため、ＶｏＩＰによるＩＰネットワークを介したファクシミリ通信を行う通信装置においては、このアナログ信号を利用して通信音等をモニタすることができない。
【００１９】
すなわち、ＶｏＩＰによるＩＰネットワークを介したファクシミリ通信を行う通信装置において、通信音等をモニタするためには、ＶｏＩＰ通信では必要としない回路（ファクシミリのＰＣＭデータをアナログに変換する回路）が必要になるため、コストアップになる。
【発明の概要】
【発明が解決しようとする課題】
【００２０】
解決しようとする問題点は、従来の技術では、ファクシミリのＰＣＭデータをアナログに変換するデジタル−アナログ回路を設けることなく、ＶｏＩＰによるＩＰネットワークを介したファクシミリ通信を行う通信装置において、回線の状態を、モニタスピーカーを介してモニタすることができない点である。
【００２１】
本発明の目的は、これら従来技術の課題を解決し、ＶｏＩＰによるＩＰネットワークを介したファクシミリ通信を行う通信装置において、コストアップを抑えて、通信音等をモニタすることを可能とすることである。
【課題を解決するための手段】
【００２２】
上記目的を達成するため、本発明のＩＰ網ファクシミリ通信装置では、例えばＩＰ網経由のＧ３通信を行っているときに、モデムにおいて、送信・受信８ＫＨｚサンプリングした８ｂｉｔのデジタル信号をＰＣＭデータ（ＩＴＵ−Ｔ勧告のＧ．７１１の音声コーディック）に変換すると共に、さらに、その送信・受信８ＫＨｚサンプリングした８ｂｉｔのデジタル信号を、ＰＷＭ（Ｐｕｌｓｅ  Ｗａｖｅ  Ｍｏｄｕｌａｔｉｏｎ）等により、スピーカーで出力可能なデータ（スピーカー出力用データ）に変換する。
【発明の効果】
【００２３】
本発明によれば、ＶｏＩＰファクシミリ通信を行うファクシミリ装置においても、デジタル−アナログ変換回路を追加することなく通信状況をモニタすることができ、コストアップすることなく、ＩＰ網ファクシミリ通信システムを具備した通信装置における通信状況のモニタが可能となる。
【図面の簡単な説明】
【００２４】
【図１】本発明に係るＩＰ網ファクシミリ装置の構成例を示すブロック図である。
【図２】図１におけるスピーカー出力データ作成部の構成例を示すブロック図である。
【図３】従来のファクシミリ装置の第１の構成例を示すブロック図である。
【図４】従来のファクシミリ装置の第２の構成例を示すブロック図である。
【発明を実施するための形態】
【００２５】
以下、図を用いて本発明を実施するための形態例を説明する。図１においては、本発明に係るＩＰ網通信装置用モデムを設けたＩＰ網通信装置としてのＩＰ網用ファクシミリ装置の概略構成を示すブロック図である。 
【００２６】
このＩＰ網用ファクシミリ装置５は、ＶｏＩＰ内蔵のファクシミリ装置３と、ＶｏＩＰ−ＴＡ２と接続されたファクシミリ装置１ａおよび電話機１ｂを相手側装置として、ＩＰ網４を介したファクシミリ通信を可能としたものであり、送受信部６、ＦＡＸ処理部１５とを有している。尚、ＶｏＩＰ−ＴＡ（Ｖｏｉｃｅ  ｏｖｅｒ  ＩＰ−Ｔｅｒｍｉｎａｌ  Ａｄａｐｔｏｒ）は、ＩＰ回線を使って音声を送受信するための変換機能を有し、本例では、ＶｏＩＰ−ＴＡ２により、ファクシミリ装置１ａと電話機１ｂのＩＰ網４への接続を可能としている。
【００２７】
送受信部６は、ＩＰ網４とのインタフェースを構成し、相手側装置（ファクシミリ装置３、ファクシミリ装置１ａ等）から受信したファクシミリデータが格納されたＩＰパケットを音声フレームに変換してＦＡＸ処理部１５に出力する一方、ＦＡＸ処理部１５からの音声フレームをＩＰパケットに変換してＩＰ網４を介して宛先（ファクシミリ装置３、ファクシミリ装置１ａ等）に送信する。
【００２８】
ＦＡＸ処理部１５は、ファクシミリデータの変調および復調、ならびに画像の記録および読み取りを行うものであり、本発明に係るＩＰ網通信装置用モデムとしてのモデム７と、スキャナ等からなる読取部９、プリンタや記憶装置等からなる記録部１０、および、モデム１５を制御するＣＰＵ８とを備え、モデム７により、Ｇ３ファクシミリ通信手順に準拠して相手装置側（ファクシミリ装置３、ファクシミリ装置１ａ等）からの音声データをファクシミリデータに変換する一方、読取部９が原稿画像から読み取り生成した画像データからＩＰ網用ファクシミリ装置５が生成したファクシミリデータを音声データに変換する。
【００２９】
モデム７により変換された、相手装置側（ファクシミリ装置３、ファクシミリ装置１ａ等）からのファクシミリデータは、記録部１０に出力され、この記録部１０において、例えば記録媒体に記録される。
【００３０】
本例のモデム７内には、音声フレームと音声データとの変換を行うＶｏＩＰ処理部１３と、スピーカー回路１１を介してスピーカー１２で出力可能なデータ（音声モニタ出力データ）を作成する、本発明に係るデータ作成手段としてのスピーカー出力データ作成部１４が設けられている。
【００３１】
ＶｏＩＰ処理部１３は、図示していないデコーダとエンコーダとを備え、音声フレームと音声データとの変換を行うものであり、デコーダにより、送受信部１１から入力された音声フレームを、ＩＴＵ−Ｔ勧告Ｇ．７１１に準拠して複合化して対象データ（画像データ等）を含むデータ信号を生成し、エンコーダにより、モデム７で生成されたデータ信号を符号化して音声フレームを生成し、送受信部６に出力する。
【００３２】
このような構成のＩＰ網用ファクシミリ装置５において、ＩＰ網４を介してファクシミリデータを受信する場合には、まず、ファクシミリデータが格納されたＩＰパケットを送受信部６が受信し、送受信部６においては、ＩＰパケットを音声フレームに変換し、さらにデータ情報を解析して、ＩＰパケットの入れ替わり等の判定を行う。
【００３３】
この音声フレームは、送受信部６からＦＡＸ処理部１５のモデム７に送られ、モデム７においては、ＶｏＩＰ処理部１３のデコーダにより、送受信部６から送られてきた音声フレームを復号化して音声データを生成する。この音声データは、モデム７において変復調処理されて記録部１０に出力され、記録部１０において記録される。
【００３４】
スピーカー出力データ作成部１４は、図２に詳細を示す構成等からなり、ＶｏＩＰ処理部１３により変換されたデータを、スピーカーを介して出力可能なデータ（音声モニタ出力データ）、例えば、ＰＷＭデータに変換する。
【００３５】
図２に示すように、本例のスピーカー出力データ作成部１４は、復号回路２３，２４と乗算回路２５，２６および加算回路２７とアナログ変換部２８を有し、復号回路２３において、図１のＶｏＩＰ処理部１３により変換された送信μ/Ａｌａｗデータ２１を復号した後、乗算回路２５において送信ゲイン係数の制御入力により乗算し、また、復号回路２４において、図１のＶｏＩＰ処理部１３により変換された受信μ/Ａｌａｗデータ２２を復号した後、乗算回路２６において受信ゲイン係数の制御入力により乗算し、そして、それぞれを加算回路２７で加算し、加算したデータを、アナログ変換部２８において、例えばＰＷＭによりＰＷＭデータに変換し、図１のスピーカー回路１１に出力する。
【００３６】
以上、図１，図２を用いて説明したように、本例のモデム７は、ＩＰ網４を介して相手装置（ファクシミリ装置１ａ，ＶｏＩＰ内蔵ファクシミリ装置３）とファクシミリ通信を行なうファクシミリ通信機能（ＦＡＸ処理部１５）を具備したＩＰ網通信装置としてのＩＰ網用ファクシミリ装置５に設けられ、ファクシミリデータと音声データの変換を行うものであって、ＶｏＩＰ処理部１３とスピーカー出力データ作成部１４を有し、ＶｏＩＰ処理部１３においては、ＩＰ網用ファクシミリ装置５に設けられた送受信部６において受信ＩＰパケットから変換された音声フレームを入力し、復号化して音声データに変換すると共に、音声データを符号化して音声フレームに変換し、送受信部６に出力し、スピーカー出力データ作成部１４においては、ＶｏＩＰ処理部１３により変換されたデータを、ＰＷＭ等により、スピーカー１２を介して出力可能なデータ（ＰＷＭデータ）に変換する。
【００３７】
特に、ＶｏＩＰ処理部１３は、送信８ＫＨｚサンプリングした８ｂｉｔのデジタル信号を送信μ/Ａｌａｗデータ２１に変換すると共に、受信８ＫＨｚサンプリングした８ｂｉｔのデジタル信号を受信μ/Ａｌａｗデータ２２に変換し、スピーカー出力データ作成部１４は、復号回路２３により、送信μ/Ａｌａｗデータ２１を復号化すると共に、復号回路２４により、受信μ/Ａｌａｗデータ２２を復号化し、さらに、乗算回路２５により、復号回路２３で復号化された送信データに送信ゲイン係数を乗算すると共に、乗算回路２６により、復号回路２４で復号化された受信データに受信ゲイン係数を乗算し、そして、加算回路２７により、乗算回路２５で送信ゲイン係数が乗算された送信データと乗算回路２６で受信ゲイン係数が乗算された受信信データとを加算し、アナログデータ（ＰＷＭデータ）変換部２８により、加算回路２７で加算された送受信データを、ＰＷＭデータ等の音声モニタ出力データに変換する。
【００３８】
このようなモデム７を用いることにより、ＩＰ網通信装置としてのＩＰ網用ファクシミリ装置５においては、ＩＰ網４を介して相手装置（ファクシミリ装置１ａ，ＶｏＩＰ内蔵ファクシミリ装置３）とのファクシミリ通信を行なう際、モデム７のスピーカー出力データ作成部１４は作成されたＰＷＭデータ（音声モニタ出力データ）を用いて、スピーカー回路１１およびスピーカー１２を介して、その通信状況をモニタすることができる。
【００３９】
このように、本例のモデム７およびＩＰ網ファクシミリ通信装置５によれば、ＩＰ網４経由のＧ３通信を行っているときに、モデム７において、送信・受信８ＫＨｚ、８ｂｉｔの信号を、ＩＴＵ−Ｔ勧告のＧ．７１１に従って、モデム７が処理するためのＰＣＭデータに変換し、さらに、ＰＷＭデータ等のスピーカー出力データに変換して出力することが可能になり、簡単な回路とスピーカーを接続することで、通信状況をモニタすることができる。
【００４０】
通常であれば、ＶｏＩＰファクシミリ装置で通信音をモニタするには、デジタル−アナログ変換回路が必要であるが、本例では、デジタル−アナログ変換回路を外付けする必要がないため、コストアップすることなく、通信音をモニタすることができる。
【００４１】
尚、本発明は、図１，図２を用いて説明した例に限定されるものではなく、その要旨を逸脱しない範囲において種々変更可能である。例えば、本例では、スピーカー出力データ作成部１４において作成する、スピーカー１２を介して出力可能なデータとして、ＰＷＭデータを例にして説明したが、これに制限されるものではない。
【符号の説明】
【００４２】
１ａ：ファクシミリ装置、１ｂ：電話機、２：ＶｏＩＰ−ＴＡ、３：ＶｏＩＰ内蔵ファクシミリ装置、４：ＩＰ網、５：ＩＰ網用ファクシミリ装置、６：送受信部、７：モデム、８：ＣＰＵ、９：読取部、１０：記録部、１１：スピーカー回路、１２：スピーカー、１３：ＶｏＩＰ処理部、１４：スピーカー出力データ作成部、１５：ＦＡＸ処理部、２１：送信μ/Ａｌａｗデータ、２２：受信μ/Ａｌａｗデータ、２３，２４：復号回路、２５，２６：乗算回路、２７：加算回路、２８：アナログデータ（ＰＷＭデータ）変換部、５１：ＦＣＵ部、５１ａ：コントローラ部、５１ｂ：モデム部、５１ｃ：モデムＤＳＰ部、５１ｄ：ＡＦＥ部、５２：ＮＣＵ部、５２ａ：絶縁トランス（「トランス」）、５２ｂ：直流回路、５２ｃ：リング検出回路、６１：モデムＤＳＰ部、６２：ＣＯＤＥＣ部、６３：加算アンプ、６４：スピーカ、６５：スイッチ（「ＳＷ」）、６６：ＩＳＤＮ通信ブロック、６７：ＣＯＤＥＣ部、６８：ＩＳＤＮインタフェース部。
【先行技術文献】
【特許文献】
【００４３】
【特許文献１】特開２００２−１０１２５６号公報
【特許文献２】特許第４０６２０３０号公報
【図１】
2012065023.tif 000003
【図２】
2012065023.tif 000004
【図３】
2012065023.tif 000005
【図４】
2012065023.tif 000006